(57)【特許請求の範囲】
【請求項１】
長尺のラップフィルムを円筒状巻芯に巻き付けて成るラップフィルム巻体をその収納箱内で回転可能に保持する厚紙製の支持具であって、
展開図において下記Ａ面ないしＦ面を形成して成る厚紙、即ち、
その長辺がラップフィルムの幅より長く、巻芯の長さよりは短く設定され、その短辺は所定の強度が得られる適宜の長さに設定された長方形のＡ面と、
Ａ面の一方の短辺に連接し、中央に巻芯の一端を挿通する円形開口を有すると共に、収納箱の軸直角断面形状とＡ面の短辺長に対応する一角隅部が切除された略正方形状のＢ面と、
Ｂ面のＡ面と連接する短辺とは反対側の短辺に連接し、その形状がＢ面と鏡映対称であるＣ面と、
Ａ面のもう一方の短辺に連接し、その形状がＢ面と鏡映対称であるＤ面と、
Ｄ面のＡ面と連接する短辺とは反対側の短辺に連接し、その形状がＤ面と鏡映対称であるＥ面と、
Ａ面の一方の長辺に連接し、その長辺はＡ面の長辺と略同等の長さに設定され、その短辺は所定の強度が得られる適宜の長さに設定された長方形のＦ面と、を形成して成る厚紙を、
Ａ面とＢ面の境界線に沿って略９０°の山折りとし、
Ｂ面とＣ面の境界線に沿って略０°の谷折りとし、
Ａ面とＤ面の境界線に沿って略９０°の山折りとし、
Ｄ面とＥ面の境界線に沿って略０°の谷折りとし、
Ａ面とＦ面の境界線に沿って略９０°の山折りとして成ることを特徴とする上記のラップフィルム巻体支持具。
【請求項２】
請求項１に記載の支持具を、そのＡ面とＦ面の境界線の折り目が箱の開口部に設けたカッタに臨むように収容したラップフィルム巻体の収納箱。
【発明の詳細な説明】
【０００１】
【発明の属する技術分野】
本発明は、長尺のラップフィルムを円筒状巻芯に巻き付けて成るラップフィルム巻体をその収納箱内で回転可能に保持する厚紙製の支持具及びこれを使用したラップフィルム巻体の収納箱に関する。
尚、本明細書において厚紙とは、ボール紙の外、各種合成紙などであって、この種の箱に用いられるシート状のもの全てを指すものとする。
【０００２】
【従来の技術】
巻芯に２０ｍ〜３０ｍ程度のラップフィルムを巻き付けたラップフィルム巻体であれば軽量であるので、使用に際してフィルムを引き出すと収納箱内で巻体が自由に回転して引出し操作に何ら支障はない。
しかし、１００ｍ以上もの長尺のラップフィルムの巻体になると重量がかさみ、収納箱内に巻体をそのまま収容しただけではフィルムを引いても巻体が円滑に回転せず、使用することができない。そこで、このような巻体はその巻芯を厚紙製の支持具で回転可能なよう保持して収納箱内に収容するようにしている。
【０００３】
而して、従来用いられている支持具の一例は、図６に示すような展開図の厚紙を図７に示す如く折り曲げて成るものである。より具体的には、１枚の厚紙を裁断して図６に示すようにＡ面ないしＥ面を形成し、これを各面間の境界線で折り曲げて図７の如く組み立てたものであり、Ｂ面及びＣ面の中央に明けた円形開口にラップフィルム巻体の巻芯の一端を挿入し、Ｄ面及びＥ面の中央に明けた円形開口に巻芯の他端を挿入して、ラップフィルム巻体を回転可能なよう保持するようにしたものである（図８参照）。これを、収納箱内に収容し、フィルムの端を持って必要量づつ引き出し、箱に設けたカッタで切断して使用するものである。
【０００４】
しかしながら、このような従来の支持具は、フィルム２１をカッタで切断するため強く引くと、図８に示す如くＡ面が湾曲し、その反動で、Ｂ面の内側へ折り曲げたＣ面と、Ｄ面の内側へ折り曲げたＥ面とがフィルム巻体の両端を押圧して巻体の回転を阻害すると共に、カッタにも不均一な力が加わるため、大量のフィルムを使い終わらないうちにカッタや箱が変形してしまうという問題点があった。
【０００５】
また、巻体の巻芯を保持するＢ、Ｃ面及びＤ、Ｅ面の代わりに、厚さ３ｍｍ〜６ｍｍの板紙で保持するようにしたものも提供されているが、巻芯表面との接触抵抗が増大し、巻体がスムーズに回転しないという欠点がある。
【０００６】
【発明が解決しようとする課題】
本発明は上記の問題点を解決するためなされたものであり、その目的とするところは、従来品に比べて強度が高く、カッタや収納箱の変形を防止し得ると共に、巻体の回転もスムーズで、使い勝手の良いラップフィルム巻体支持具を提供することと、これを用いたラップフィルム巻体の収納箱を提供することにある。
【０００７】
【課題を解決するための手段】
上記の目的は、
展開図において下記Ａ面ないしＦ面を形成して成る厚紙、即ち、
その長辺がラップフィルムの幅より長く、巻芯の長さよりは短く設定され、その短辺は所定の強度が得られる適宜の長さに設定された長方形のＡ面と、
Ａ面の一方の短辺に連接し、中央に巻芯の一端を挿通する円形開口を有すると共に、収納箱の軸直角断面形状とＡ面の短辺長に対応する一角隅部が切除された略正方形状のＢ面と、
Ｂ面のＡ面と連接する短辺とは反対側の短辺に連接し、その形状がＢ面と鏡映対称であるＣ面と、
Ａ面のもう一方の短辺に連接し、その形状がＢ面と鏡映対称であるＤ面と、
Ｄ面のＡ面と連接する短辺とは反対側の短辺に連接し、その形状がＤ面と鏡映対称であるＥ面と、
Ａ面の一方の長辺に連接し、その長辺はＡ面の長辺と略同等の長さに設定され、その短辺は所定の強度が得られる適宜の長さに設定された長方形のＦ面と、を形成して成る厚紙を、
Ａ面とＢ面の境界線に沿って略９０°の山折りとし、
Ｂ面とＣ面の境界線に沿って略０°の谷折りとし、
Ａ面とＤ面の境界線に沿って略９０°の山折りとし、
Ｄ面とＥ面の境界線に沿って略０°の谷折りとし、
Ａ面とＦ面の境界線に沿って略９０°の山折りとして成ることを特徴とするラップフィルム巻体支持具によって達成できる。
なお、本明細書中において、「山折り」、「谷折り」とは、支持具の使用時に厚紙のＡ面がラップフィルム巻体に臨む面を厚紙の内面、その反対側の面を外面としたとき、折り目線を挟んで内面同士が接近する折り方を「山折り」、折り目線を挟んで外面同士が接近する折り方を「谷折り」と称し、又、その角度は、折られたことによって接近する両面間に形成される角度を指すものとする。
【０００８】
また上記第二の目的は、このような支持具を、そのＡ面とＦ面の境界線の折り目が箱の開口部に設けたカッタに臨むように収容したラップフィルム巻体の収納箱によって達成できる。
【０００９】
【発明の実施の形態】
以下、図面を参照しつゝ本発明を具体的に説明する。
図１は、本発明に係るラップフィルム巻体支持具の展開図、図２は、これを折り畳んで支持具を形成した状態を示す斜視図、図３は、これにラップフィルム巻体を装着した状態を示す斜視図、図４は、ラップフィルム巻体を装着した支持具を収納箱内に収容する状態を示す斜視図、図５は、収納箱からラップフィルムを引き出して切断する状態を示す斜視図である。
【００１０】
而して、図２に示すような本発明に係る支持具１は、厚紙を図１の展開図に示す如く切断し、そのＡ面ないしＦ面の各面間の境界線に沿って山折り、谷折りにして作製したものである。
ここで、Ａ面は、その長辺がラップフィルムの幅より長く、巻芯の長さよりは短く設定され、その短辺は所定の強度が得られる適宜の長さに設定された長方形に形成され、指掛け孔１１及び１２が明けられている。
Ｂ面は、Ａ面の一方の短辺に連接し、中央に巻芯の一端を挿通する円形開口１３が形成されると共に、収納箱の軸直角断面形状とＡ面の短辺長に対応する一角隅部１７が切除された略正方形状に形成されている。
Ｃ面は、Ｂ面のＡ面と連接する短辺とは反対側の短辺に連接し、その形状がＢ面と鏡映対称に形成され、中央に円形開口１４が形成されている。
Ｄ面は、Ａ面のもう一方の短辺に連接し、その形状がＢ面と鏡映対称に形成され、中央に円形開口１５が形成されている。
Ｅ面は、Ｄ面のＡ面と連接する短辺とは反対側の短辺に連接し、その形状がＤ面と鏡映対称に形成され、中央に円形開口１６が形成されている。
Ｆ面は、Ａ面の一方の長辺に連接し、その長辺はＡ面の長辺と略同等の長さに設定され、その短辺は所定の強度が得られる適宜の長さに設定された長方形に形成されている。
【００１１】
このように裁断された厚紙を、Ａ面とＢ面の境界線に沿って略９０°の山折りとし、Ｂ面とＣ面の境界線に沿って略０°の谷折りとし、Ａ面とＤ面の境界線に沿って略９０°の山折りとし、Ｄ面とＥ面の境界線に沿って略０°の谷折りとし、Ａ面とＦ面の境界線に沿って略９０°の山折りとすることによって、図２に示すような本発明のラップフィルム巻体支持具１が組み立てられる。
【００１２】
この支持具１にラップフィルム巻体２を装着する場合、ラップフィルム２２を巻き付けた巻芯２２の一端２２ａをＢ面及びＣ面の円形開口１３及び１４に挿通し、巻芯２２の他端２２ｂをＤ面及びＥ面の円形開口１５及び１６に挿通するようにする。これにより、巻体２は支持具１に回転可能なよう保持される。尚、図２にはＢ面とＣ面、Ｄ面とＥ面の折返し部に、底面安定のために微少なマチを設けるようにした実施例を示してある。
【００１３】
このようにラップフィルム巻体２を装着した支持具１を、図４に示す如く、収納箱３内に収容する。図示した実施例においては、フィルム切断用のカッタとして鋸刃カッタ３２を用い、これを箱３自体には固着せず、厚紙製のカッタ取付板３１に鋸刃カッタ３２を取り付け、これを箱３内に嵌め込むようにしてある。
支持具１は、そのＡ面とＦ面の境界線の折り目が箱３のカッタ３２に臨むように箱３内に収容する。
箱３がカッタ板３１の上端角部と接する隅の部分は、フィルム切断時にカッタに加わる力が集中して破れ易いので、図示する如く円弧状の縁部３３及び３４が形成されるよう構成し、長期間の使用に伴う破損を防止するようにする。
【００１４】
ラップフィルムを使用する際は、図５に示すように、支持具のＡ面の上にラップフィルムがかぶさるようにして引き出し、カッタ３２で適宜の長さに切断して使用する。
【００１５】
なお、カッタは、カッタ取付板を用いることなく箱３の縁辺に直接に取付けるようにしてもよく、又上記の如き鋸刃カッタに限らず、スライドカッタその他各種形態のものとしても良い。
【００１６】
而して、上記の如く構成された本発明に係る支持具１が、図６ないし図８に示した従来の支持具と異なる点は下記の通りである。
▲１▼Ｆ面を新たに設け、Ａ面とＦ面間を９０°の山折りにした。
▲２▼Ｂ面とＣ面間を、従来は０°の山折りにしてＣ面が内側にくるようにしていたものを、本発明では０°の谷折りにしてＣ面が外側にくるようにした。同様にＤ面とＥ面も谷折りにしてＥ面が外側にくるようにした。
【００１７】
【発明の効果】
上記の如く構成された本発明品においては、従来品に比べて下記の効果が得られる。
▲１▼Ｆ面を新たに設け、Ａ面とＦ面間を９０°の山折りにしたことにより、Ａ面が補強され、フィルム切断時に図８に示す従来品の如くＡ面が湾曲することがなく、そのためカッタ３２や箱３に不均一な力が作用せず、変形、破損等が防止される。
▲２▼Ｃ面及びＥ面が外側にくるようにしたことにより、フィルム切断時に支持具に加わる力でＣ面やＥ面が巻体２のラップフィルム２１の端面を押圧することがなく、巻体２のスムーズな回転が確保される。
▲３▼フィルム切断時に、湾曲することなく平坦に保たれたＡ面の表面にフィルムが密着し、カッタでの切断操作が安定する。
▲４▼巻体２の巻芯の両端２２ａ及び２２ｂを、厚さ３ｍｍ〜６ｍｍの板紙で保持する場合に比べて接触抵抗が少ないので、巻体２のスムーズな回転が確保される。
▲５▼箱３がカッタ板３１の上端角部と接する隅の部分を、円弧状の縁部３３及び３４が形成されるよう構成したので、フィルム切断時にカッタに加わる力が分散し、長期間の使用に伴う破損が防止できる。
このように、本発明によるときは、従来品に比べて強度が高く、カッタや収納箱の変形を防止し得ると共に、巻体の回転もスムーズで、使い勝手の良いラップフィルム巻体支持具と、これを用いたラップフィルム巻体の収納箱が提供されるものである。
【００１８】
なお、本発明は叙上の実施例に限定されるものでなく、本発明の目的の範囲内において上記の説明から当業者が容易に想到し得るすべての変更実施例を包摂するものである。
【図面の簡単な説明】
【図１】本発明に係るラップフィルム巻体支持具の展開図である。
【図２】これを折り畳んで支持具を形成した状態を示す斜視図である。
【図３】これにラップフィルム巻体を装着した状態を示す斜視図である。
【図４】ラップフィルム巻体を装着した支持具を収納箱内に収容する状態を示す斜視図である。
【図５】収納箱からラップフィルムを引き出して切断する状態を示す斜視図である。
【図６】従来のラップフィルム巻体支持具の展開図である。
【図７】従来のラップフィルム巻体支持具の完成斜視図である。
【図８】従来のラップフィルム巻体支持具の使用状態を示す斜視図である。
【符号の説明】
1         支持具
11,12     指掛け孔
13〜16    円形開口
2         ラップフィルム巻体
21        ラップフィルム
22a,22b   巻芯端部
3         収納箱
31        カッタ取付板
32        カッタ
33,34     円弧状縁部
【図１】
0003659718.tif 000002
【図２】
0003659718.tif 000003
【図３】
0003659718.tif 000004
【図４】
0003659718.tif 000005
【図５】
0003659718.tif 000006
【図６】
0003659718.tif 000007
【図７】
0003659718.tif 000008
【図８】
0003659718.tif 000009